(57)【特許請求の範囲】
【請求項１】
撮影された人の動きを表すコンテンツ映像をユーザに対して提供する映像提供システムであって、
ユーザを撮影する撮影手段と、
コンテンツ映像と前記撮影手段により撮影されたユーザの映像とを共に表示する表示手段と、
前記表示手段に表示させる映像について左右の反転処理及び非反転処理の一方の処理を施して映像表示させる映像制御手段と、を備え、
前記映像制御手段は、前記コンテンツ映像の人を撮影したときの撮影方向にあわせて前記表示手段に表示させる前記コンテンツ映像の人の映像について反転処理及び非反転処理を切り替えると共に、前記撮影手段による撮影によって得られた映像を前記コンテンツ映像の人の映像と同期させて反転及び非反転処理を切り替える
ことを特徴とする映像提供システム。
【請求項２】
前記映像制御手段は、前記表示手段に表示させる前記コンテンツ映像の人の映像と、前記撮影手段による撮影によって得られたユーザの映像とが同じ大きさとなるように調整する調整表示手段を
さらに備えることを特徴とする請求項１に記載の映像提供システム。
【請求項３】
前記映像制御手段は、前記コンテンツ映像の人の映像についてズーム状態を判断し、判断したズーム状態にあわせて前記撮影手段による撮影によって得られた映像をズーム状態とし、前記表示手段に表示させる
ことを特徴とする請求項１又は請求項２のいずれかに記載の映像提供システム。
【請求項４】
前記表示手段はそれぞれ異なる表示形態により映像表示する複数の表示部を有し、
前記映像表示の対象を前記複数の表示部のいずれとするかを設定する設定手段をさらに備え、
前記映像制御手段は、前記設定手段により設定された表示部に対して、前記コンテンツ映像の人の映像の反転処理及び非反転処理、並びに、前記撮影手段による撮影によって得られた映像の反転処理及び非反転処理の制御を行う
ことを特徴とする請求項１から請求項３のいずれか１項に記載の映像提供システム。
【請求項５】
前記撮影手段は、ユーザの正面からユーザを撮影する正面撮影手段と、ユーザの背面からユーザを撮影する背面撮影手段と、を有し、
前記映像制御手段は、前記コンテンツ映像の人が正面から撮影されている場合に、前記正面撮影手段により撮影されたユーザの映像を前記表示手段に表示させ、前記コンテンツ映像の人が背面から撮影されている場合に、前記背面撮影手段により撮影されたユーザの映像を前記表示手段に表示させる
ことを特徴とする請求項１から請求項４のいずれか１項に記載の映像提供システム。
【請求項６】
前記表示手段に映像光を投影させて前記コンテンツ映像及び前記撮影手段により撮影された映像を表示させる投射手段をさらに備え、
前記表示手段の正面に前記投射手段が配置され、前記投射手段により投影させられた映像を前記表示手段の正面側に位置するユーザに視認させる場合において、前記映像制御手段は、前記正面撮影手段により撮影されたユーザの映像を反転させて前記投射手段から投射させ、前記背面撮影手段により撮影されたユーザの映像を反転させずに前記投射手段から投射させる
ことを特徴とする請求項５に記載の映像提供システム。
【請求項７】
前記表示手段に映像光を投影させて前記コンテンツ映像及び前記撮影手段により撮影された映像を表示させる投射手段をさらに備え、
前記表示手段の背面に前記投射手段が配置され、前記投射手段により投影させられた映像を前記表示手段の正面側に位置するユーザに視認させる場合において、前記映像制御手段は、前記正面撮影手段により撮影されたユーザの映像を反転させずに前記投射手段から投射させ、前記背面撮影手段により撮影されたユーザの映像を反転させて前記投射手段から投射させる
ことを特徴とする請求項５に記載の映像提供システム。
【請求項８】
前記コンテンツ映像の人の映像と前記撮影手段により撮影されたユーザの映像とを並べて共に表示する通常モードと、前記コンテンツ映像の人の映像と前記撮影手段により撮影されたユーザの映像とを重ねて共に表示するマッチングモードとを切替可能な切替手段をさらに備え、
前記映像制御手段は、前記切替手段によって切り替えられたモードに応じて、前記表示手段に表示させる
ことを特徴とする請求項１から請求項７のいずれか１項に記載の映像提供システム。
【請求項９】
前記コンテンツ映像は、当該コンテンツ映像の人を撮影したときの撮影方向を示す撮影方向情報を有し、
前記映像制御手段は、前記撮影方向情報にあわせて前記表示手段に表示させる前記コンテンツ映像の人の映像について反転処理及び非反転処理を切り替える
ことを特徴とする請求項１から請求項８のいずれか１項に記載の映像提供システム。
【請求項１０】
前記コンテンツ映像に対して、前記撮影方向情報を書き込み可能な書込手段をさらに備える
ことを特徴とする請求項９に記載の映像提供システム。
【発明の詳細な説明】
【技術分野】
【０００１】
本発明は、映像提供システムに関する。
【背景技術】
【０００２】
従来、美容室などにおいて鏡の代わりにスクリーンを置き、美容等を受ける利用者の正面像、背面像、左右側面像、上面像、又は斜視像などを選択的にスクリーン上に表示させる映像提供システムが知られている。このシステムによれば、利用者はスクリーンに正対した状態で自己をあらゆる方向から確認できるため、体勢に無理なく確認することができる（特許文献１参照）。
【特許文献１】特開２００４−１５０８０号公報
【発明の開示】
【発明が解決しようとする課題】
【０００３】
近年、ダンスや着付けのＤＶＤやビデオなど、ユーザ教育用の映像を記録した記録媒体が販売されている。そこで、特許文献１に示すようにユーザ自身の映像をスクリーンに表示させる技術に加えて、教育用の映像を共にスクリーン上に表示させることにより、ユーザがダンスや着付けの先生を真似易くする試みをしようとしても、以下のような問題がある。
【０００４】
一般に、ユーザ教育用の映像では、ダンスや着付けの指導員などコンテンツ映像内の人が正面から撮影される場合が多く、映像が画面に表示される場合には、コンテンツ映像内の人の右側が画面の左側に表示されてしまう。これにより、ユーザは左右が分かり難く、コンテンツ映像内の人を真似難くなってしまう。また、コンテンツ映像内の人の映像は背面から撮影される場合もあり、この場合にはコンテンツ映像内の人の右側が画面の右側に表示され、正面から撮影された場合と左右が逆になる。これにより、ユーザは一層左右が分かり難くなってしまう。
【０００５】
なお、この問題は、ユーザが、ユーザ教育用の映像を記録した記録媒体に記憶される映像を見る場合に限らず、単に、テレビで放映される歌手の振り付けなどを見て、真似しようとする場合にも生じるものである。
【０００６】
本発明は、上記問題点を解決するために成されたものであり、その目的とするところは、コンテンツ映像の人の動きを左右正確に真似易くさせることが可能な映像提供システムを提供することである。
【課題を解決するための手段】
【０００７】
本発明に係る映像提供システムは、撮影された人の動きを表すコンテンツ映像をユーザに対して提供する映像提供システムであって、ユーザを撮影する撮影手段と、コンテンツ映像と撮影手段により撮影されたユーザの映像とを共に表示する表示手段と、表示手段に表示させる映像について左右の反転処理及び非反転処理の一方の処理を施して映像表示させる映像制御手段と、を備え、映像制御手段は、コンテンツ映像の人を撮影したときの撮影方向にあわせて表示手段に表示させるコンテンツ映像の人の映像について反転処理及び非反転処理を切り替えると共に、撮影手段による撮影によって得られた映像をコンテンツ映像の人の映像と同期させて反転及び非反転処理を切り替える。
【０００８】
この映像提供システムによれば、映像制御手段は、コンテンツ映像の人の映像を撮影したときの撮影方向にあわせてコンテンツ映像の人の映像について反転処理及び非反転処理を切り替える。このため、コンテンツ映像の人の映像を撮影したときにコンテンツ映像の人を正面から撮影した場合、表示手段においてそのまま表示するとコンテンツ映像の人の右手は表示手段の左側に位置してしまうが、反転処理に切り替えることで、コンテンツ映像の人の右手を表示手段の右側に位置させることができる。また、コンテンツ映像の人の映像を撮影したときにコンテンツ映像の人を背面から撮影した場合、コンテンツ映像の人の右手は表示手段の右側に位置するため、反転処理を施すことなく非反転処理、すなわち、そのまま表示することにより、コンテンツ映像の人の右手を表示手段の右側に位置させることができる。このように、撮影方向にあわせてコンテンツ映像の人の映像について反転・非反転を切り替えることで、ユーザにとって左右が分かり易い映像を提供することができる。加えて、表示手段は、コンテンツ映像の人の映像とユーザの映像とを共に表示するため、コンテンツ映像の人との一致度合いをユーザ自らが観察できると共に、ユーザ映像についても反転・非反転を切り替えて、コンテンツ映像の人の映像とユーザ映像との左右が逆となってしまう事態も防止することができる。従って、コンテンツ映像の人の動きを左右正確に真似易くさせることができる。
【０００９】
また、本発明に係る映像提供システムにおいて、映像制御手段は、表示手段に表示させるコンテンツ映像の人の映像と、撮影手段による撮影によって得られたユーザの映像とが同じ大きさとなるように調整する調整表示手段をさらに備えることが好ましい。
【００１０】
この映像システムによれば、コンテンツ映像の人の映像と、撮影手段による撮影によって得られた映像とが同じ大きさとなるように調整するため、コンテンツ映像の人とユーザとが同じ大きさで表示され、ユーザがコンテンツ映像の人との一致度合いを認識しやすくなる。従って、一層コンテンツ映像の人の動きを真似易くさせることができる。
【００１１】
また、本発明に係る映像提供システムにおいて、映像制御手段は、コンテンツ映像の人の映像についてズーム状態を判断し、判断したズーム状態にあわせて撮影手段による撮影によって得られた映像をズーム状態とし、表示手段に表示させることが好ましい。
【００１２】
この映像提供システムによれば、コンテンツ映像の人の映像のズーム状態にあわせてユーザ映像をズーム状態とし、表示手段に表示させるため、例えばコンテンツ映像の人の手にズームされたような場合に、ユーザのみが全身映ってしまう状態などのアンバランスさを解消し、一層ユーザにコンテンツ映像の人を真似易くさせることができる。
【００１３】
また、本発明に係る映像提供システムにおいて、表示手段はそれぞれ異なる表示形態により映像表示する複数の表示部を有し、映像表示の対象を複数の表示部のいずれとするかを設定する設定手段をさらに備え、映像制御手段は、設定手段により設定された表示部に対して、コンテンツ映像の人の映像の反転処理及び非反転処理、並びに、撮影手段による撮影によって得られた映像の反転処理及び非反転処理の制御を行うことが好ましい。
【００１４】
この映像システムによれば、例えば表示モニタと、プロジェクタによって投射される映像光によって映像を投影するスクリーンとの複数の表示部がある場合に、設定手段により設定された表示部に対して、反転処理及び非反転処理の制御を行う。このため、ユーザにとって使い易い表示部によって表示は行われることとなる。すなわち、ユーザは、例えば手先など細かい映像に関して表示モニタ（一般的にスクリーンよりも小さい）にて表示させ、着付けやダンスなど体全体の映像に関してスクリーン（一般的に表示モニタよりも大きい）投影にて表示させることができる。これにより、ユーザは、コンテンツ映像の人を一層見やすくなり、一層ユーザにコンテンツ映像の人を真似易くさせることができる。
【００１５】
また、本発明に係る映像提供システムにおいて、撮影手段は、ユーザの正面からユーザを撮影する正面撮影手段と、ユーザの背面からユーザを撮影する背面撮影手段と、を有し、映像制御手段は、コンテンツ映像の人が正面から撮影されている場合に、正面撮影手段により撮影されたユーザの映像を表示手段に表示させ、コンテンツ映像の人が背面から撮影されている場合に、背面撮影手段により撮影されたユーザの映像を表示手段に表示させることが好ましい。
【００１６】
この映像提供システムによれば、映像制御手段は、コンテンツ映像の人が正面から撮影されている場合に、正面撮影手段により撮影されたユーザの映像を表示手段に表示させ、コンテンツ映像の人が背面から撮影されている場合に、背面撮影手段により撮影されたユーザの映像を表示手段に表示させる。このため、コンテンツ映像の人の正面と背面とが切り替わって撮影されていた映像についても、ユーザ映像をコンテンツ映像の人の映像に左右一致させ、一層ユーザにコンテンツ映像の人を真似易くさせることができる。
【００１７】
また、本発明に係る映像提供システムにおいて、表示手段に映像光を投影させてコンテンツ映像及び撮影手段により撮影された映像を表示させる投射手段をさらに備え、表示手段の正面に投射手段が配置され、投射手段により投影させられた映像を表示手段の正面側に位置するユーザに視認させる場合において、映像制御手段は、正面撮影手段により撮影されたユーザの映像を反転させて投射手段から投射させ、背面撮影手段により撮影されたユーザの映像を反転させずに投射手段から投射させることが好ましい。
【００１８】
この映像提供システムによれば、映像制御手段は、正面撮影手段により撮影されたユーザの映像を反転させて投射手段から投射させ、背面撮影手段により撮影されたユーザの映像を反転させずに投射手段から投射させる。このため、ユーザは、正面から撮影された映像について鏡像のように分かり易く把握することができ、背面から撮影された映像については左右が逆にならず分かり易くさせることができる。
【００１９】
また、本発明に係る映像提供システムにおいて、表示手段に映像光を投影させてコンテンツ映像及び撮影手段により撮影された映像を表示させる投射手段をさらに備え、表示手段の背面に投射手段が配置され、投射手段により投影させられた映像を表示手段の正面側に位置するユーザに視認させる場合において、映像制御手段は、正面撮影手段により撮影されたユーザの映像を反転させずに投射手段から投射させ、背面撮影手段により撮影されたユーザの映像を反転させて投射手段から投射させることが好ましい。
【００２０】
この映像提供システムによれば、映像制御手段は、正面撮影手段により撮影されたユーザの映像を反転させずに投射手段から投射させ、背面撮影手段により撮影されたユーザの映像を反転させて投射手段から投射させる。このため、ユーザは、正面から撮影された映像について鏡像のように分かり易く把握することができ、背面から撮影された映像については左右が逆にならず分かり易くさせることができる。
【００２１】
また、本発明に係る映像提供システムにおいて、コンテンツ映像の人の映像と撮影手段により撮影されたユーザの映像とを並べて共に表示する通常モードと、コンテンツ映像の人の映像と撮影手段により撮影されたユーザの映像とを重ねて共に表示するマッチングモードとを切替可能な切替手段をさらに備え、映像制御手段は、切替手段によって切り替えられたモードに応じて、表示手段に表示させることが好ましい。
【００２２】
この映像提供システムによれば、コンテンツ映像の人の映像とユーザの映像とを並べて共に表示する通常モードと、コンテンツ映像の人の映像とユーザの映像とを重ねて共に表示するマッチングモードとを切替可能となっているため、ユーザにとってコンテンツ映像の人を真似易いモードを選択できることとなり、一層ユーザにコンテンツ映像の人を真似易くさせることができる。
【００２３】
また、本発明に係る映像提供システムにおいて、コンテンツ映像は、当該コンテンツ映像の人を撮影したときの撮影方向を示す撮影方向情報を有し、映像制御手段は、撮影方向情報にあわせて表示手段に表示させるコンテンツ映像の人の映像について反転処理及び非反転処理を切り替えることが好ましい。
【００２４】
この映像提供システムによれば、コンテンツ映像は、当該コンテンツ映像の人を撮影したときの撮影方向を示す撮影方向情報を有し、映像制御手段は、撮影方向情報にあわせて表示手段に表示させるコンテンツ映像の人の映像を反転処理及び非反転処理を切り替える。このため、映像制御手段は、撮影方向を演算等により判断することなく、撮影方向情報に従って、反転及び非反転を切り替えることができる。従って、処理速度の低下を抑制してスムーズに流れる映像を提供することができる。
【００２５】
また、本発明に係る映像提供システムにおいて、コンテンツ映像に対して、撮影方向情報を書き込み可能な書込手段をさらに備えることが好ましい。
【００２６】
この映像提供システムによれば、コンテンツ映像に対して、撮影方向情報を書き込み可能な書込手段をさらに備えるため、予め撮影方向情報を有したＤＶＤ等に限らず、市販のＤＶＤ等についても処理速度の低下を抑制してスムーズに流れる映像を提供することができる。
【発明の効果】
【００２７】
本発明に係る映像提供システムよれば、コンテンツ映像の人の動きを左右正確に真似易くさせることができる。
【発明を実施するための最良の形態】
【００２８】
以下、図面を参照して、本発明の実施の形態を説明する。図１は、本発明の第１実施形態に係る映像提供システムの一例を示す構成図である。映像提供システム１は、撮影された人（以下指導員と称する）の動きを表すコンテンツ映像をユーザＨに対して提供するものであって、サーバ１０と、選択部２０と、カメラ（撮影手段）３０と、表示モニタ（表示手段）４０と、映像制御部（映像制御手段）５０と、切替部（切替手段）６０と、書込部（書込手段）７０とを備えている。なお、以下の説明において指導員とは、ダンスや着付けの先生などであるが、この指導員は、人に限らず、人を模したアニメ等であってもよい。
【００２９】
サーバ１０は、コンテンツ映像を記憶したものである。このサーバ１０は、各家庭の宅内に設置されていてもよいし、映像提供サービスを行っている宅外の施設等に設置されていてもよい。また、サーバ１０は、指導員の動きを表す映像の他に、その映像が撮影されたときの撮影方向を示す撮影方向情報、及び、その映像がズーム状態を示すズーム状態情報を記憶している。
【００３０】
選択部２０は、ユーザＨが表示モニタ４０に表示させたい映像を選択するものである。この選択部２０によって映像が選択されると、サーバ１０は、選択された映像を抽出し、その映像情報と撮影方向情報とズーム状態情報とを映像制御部３０に送信することとなる。
【００３１】
カメラ３０は、ユーザＨを撮影するものである。このカメラ３０は、ユーザＨの正面からユーザＨを撮影する正面カメラ（正面撮影手段）３１と、ユーザＨの背面からユーザＨを撮影する背面カメラ（背面撮影手段）３２とからなっており、表示モニタ４０に正対するユーザＨを前後から撮影可能となっている。
【００３２】
表示モニタ４０は、サーバ１０に記憶された映像、すなわちコンテンツ映像と、カメラ３０により撮影されたユーザＨの映像とを共に表示するものである。
【００３３】
映像制御部５０は、表示モニタ４０に表示させる映像について左右の反転処理及び非反転処理の一方の処理を施して映像表示させるものである。この映像制御部５０は、映像選択部５１と、反転処理部５２と、ズーム状態判断部５３と、映像処理部（調整表示手段）５４とを備えている。
【００３４】
映像選択部５１は、正面カメラ３１及び背面カメラ３２に撮影された映像のうち、いずれの映像を表示モニタ４０に表示させるかを選択するものである。この映像選択部５１は、サーバ１０から送信される撮影方向情報に従って映像を選択する。すなわち、映像選択部５１は、指導員の映像が正面から撮影されている場合、正面カメラ３１からの映像を選択し、指導員の映像が背面から撮影されている場合、背面カメラ３２からの映像を選択する。
【００３５】
反転処理部５２は、映像選択部５１によって選択された映像と、サーバ１０から送信された指導員の映像とについて、左右の反転処理及び非反転処理の一方の処理を施すものである。ここで、反転処理とは、映像の上下中心線を対象に映像データを入れ替える処理であり、非反転処理とは、映像データの入れ替えを行わない処理をいう。
【００３６】
具体的に、反転処理部５２は、サーバ１０に記憶された指導員の映像を撮影したときの撮影方向にあわせて、表示モニタ４０に表示させる指導員の映像を反転処理又は非反転処理する。この際、反転処理部５２は、指導員の映像が撮影されたときの撮影方向を示す撮影方向情報に従って、指導員の映像を反転処理又は非反転処理する。以下、具体的に説明する。
【００３７】
反転処理部５２は、指導員が正面から撮影されている場合、表示モニタ４０に左右が逆となるように表示させる（反転処理）。通常であれば、指導員の映像を正面から撮影した場合、左右逆とせずに表示モニタ４０に表示すると指導員の右手は表示モニタ４０の左側に位置してしまう。ところが、左右を逆に表示することで、指導員の右手を表示モニタ４０の右側に位置させることができ、ユーザＨに分かり易い映像を提供することができる。
【００３８】
また、反転処理部５２は、指導員が背面から撮影されている場合、表示モニタ４０に左右が逆とならないように表示させる（非反転処理）。通常、指導員を背面から撮影した場合、左右を逆としなければ、指導員の右手は表示モニタ４０の右側に位置する。このため、反転処理部５２は、指導員の映像をそのまま表示モニタ４０に表示することで、ユーザＨに分かり易い映像を提供することができる。
【００３９】
さらに、反転処理部５２は、このような反転処理及び非反転処理を切替可能となっており、指導員の映像の切り替わりに応じて、反転処理を施すか、非反転処理を施すかを切り替え可能となっている。従って、指導員が正面から撮影される映像と背面から撮影される映像とが混在する映像についても、順次反転処理及び非反転処理を切り替えることで、本実施形態に係る映像提供システム１は、ユーザＨに分かり易い映像を提供することができるようになっている。
【００４０】
加えて、反転処理部５２は、ユーザＨの映像を指導員の映像と同期（すなわち左右一致）させて反転処理及び非反転処理を切り替える。具体的に指導員が正面から撮影されている場合、反転処理部５２は、正面カメラ３１によって撮影されたユーザＨの映像を反転させて表示モニタ４０に表示させる（反転処理）。これにより、ユーザＨは、自己の映像を鏡像のように確認できる。また、ユーザＨの左右と指導員の左右とが一致し、ユーザＨは、指導員との一致度合いをユーザＨ自らが観察することができる。
【００４１】
一方、指導員が背面から撮影されている場合、反転処理部５２は、背面カメラ３２によって撮影されたユーザＨの映像を反転させずに表示モニタ４０に表示させる（非反転処理）。これにより、ユーザＨの左右と指導員の左右とが一致し、ユーザＨは、指導員との一致度合いをユーザＨ自らが観察することができる。
【００４２】
ズーム状態判断部５３は、サーバ１０に記憶された指導員の映像のズーム状態を判断するものである。具体的にズーム状態情報は、指導員の映像のどの箇所がズームされたか、及び、ズーム度合いはどの程度あるかの情報を有している。このため、ズーム状態判断部５３は、ズーム状態情報を入力し、指導員の映像のどの箇所がズームされたか、及び、ズーム度合いはどの程度あるかを判断することとなる。また、ズーム状態判断部５３は、判断したズーム状態の情報を映像処理部５４に送信する構成となっている。
【００４３】
映像処理部５４は、上記のように、反転処理部５２によって反転及び非反転させられた映像を映像表示させるものである。さらに、映像処理部５４は、ズーム状態判断部５３によって判断されたズーム状態に応じて、カメラ３０によって撮影された映像をズーム状態とし、表示モニタ４０に表示させる。すなわち、映像処理部５４は、ズーム状態判断部５３によって判断されたズーム状態に応じて、カメラ３０によって撮影された映像の一部を抽出してこれを拡大し、その映像の情報を表示モニタ４０に提供し、映像表示させるものである。
【００４４】
加えて映像処理部５４は、表示モニタ４０に表示させる指導員の映像と、カメラ３０による撮影によって得られたユーザＨの映像が同じ大きさとなるように調整する調整表示機能を有している。このため、両者の映像は大きさが一致することとなり、ユーザＨにとって分かり易くなる。
【００４５】
切替部６０は、通常モードとマッチングモードとを切替可能なものである。通常モードとは、サーバ１０により記憶された映像とカメラ３０により撮影されたユーザＨの映像とを並べて共に表示するモードである。また、マッチングモードとは、サーバ１０により記憶された映像とカメラ３０により撮影されたユーザＨの映像とを重ねて共に表示するモードである。この切替部６０によって切り替えられたモードに応じて、映像処理部５４は、映像を表示モニタ４０に表示させることとなる。
【００４６】
書込部７０は、サーバ１０に記憶された指導員の動きを表す映像に、その映像の撮影方向情報及びズーム状態情報を書き込み可能なものである。このような書込部７０を備えることにより、予め撮影方向情報やズーム状態情報を有した映像に限らず、通常の映像についても撮影方向情報及びズーム状態情報を記憶させることができる。
【００４７】
このように、映像提供システム１では、指導員の映像を撮影したときの撮影方向にあわせて、表示させる指導員の映像について反転処理及び非反転処理を切り替える。このため、指導員の映像を撮影したときに指導員を正面から撮影した場合、表示モニタ４０においてそのまま表示すると指導員の右手は表示モニタ４０の左側に位置してしまうが、反転処理に切り替えることで、指導員の右手を表示モニタ４０の右側に位置させることができる。また、指導員の映像を撮影したときに指導員を背面から撮影した場合は、表示モニタ４０において指導員の右手は表示モニタ４０の右側に位置するため、反転処理を施すことなく非反転処理、すなわち、そのまま表示することにより、指導員の右手を表示モニタ４０の右側に位置させることができる。このように、撮影方向にあわせて指導員の映像について反転・非反転を切り替えることで、ユーザＨにとって左右分かり易い指導員の映像を提供することができる。加えて、表示モニタ４０は、指導員の映像とユーザＨの映像とを共に表示するため、指導員との一致度合いをユーザＨ自らが観察できると共に、ユーザ映像についても反転・非反転を切り替えて、指導員の映像とユーザ映像との左右が逆となってしまう事態も防止することができる。従って、ユーザＨは指導員の動きを左右正確に真似易くなる。
【００４８】
図２は、各映像の詳細を示す説明図である。なお、図２の説明において、ユーザＨは右腕を肩の高さまで上げているものとする。
【００４９】
まず、図２に示すように、ユーザＨが右腕を上げている場合、ユーザＨの右腕は正面カメラ３１の撮像範囲の左側に向けて伸びていることとなる。このため、正面カメラ３１によって撮影された映像を表示モニタ４０に表示すると、表示モニタ４０には、ユーザＨの左腕があがったように表示される。これにより、表示映像を視認するユーザＨにとっては左右が分かり難くなってしまう。このため、映像提供システム１は、表示モニタ４０に表示させる映像を反転させる反転処理を実行することとなる。これにより、本実施形態では、ユーザＨの右腕が表示モニタ４０の右側に表示されることとなる。
【００５０】
また、図２に示すように、映像提供システム１は、指導員の映像についても反転処理を実行する。指導員が右腕を上げている場合、このまま表示モニタ４０に指導員の映像を表示してしまうと、ユーザＨには左腕があがったように見えてしまう。このため、映像提供システム１は、指導員の映像についても反転処理を実行することとなる。これにより、本実施形態では、指導員の右腕が表示モニタ４０の右側に表示されることとなる。
【００５１】
以上により、指導員が右腕を上げている場合、指導員の右腕はユーザＨの右側に表示され、ユーザＨは指導員の動きを左右正確に真似易くなる。また、ユーザＨの映像についても、鏡像のように表示されるため、ユーザＨにとって分かり易く、且つ、指導員の映像と一致するため、ユーザＨは指導員の動きを左右正確に真似易くなる。
【００５２】
ここで、上記説明は、指導員の映像が正面から撮影されている場合であるが、背面から撮影されている場合には、以下のようになる。
【００５３】
図２に示すように、ユーザＨが右腕を上げている場合、ユーザの右腕は背面カメラ３２の撮像範囲の右側に向けて伸びたものとなる。このため、このまま表示モニタ４０にユーザＨの映像を表示すれば、右腕が表示モニタ４０の右側に表示され、ユーザＨにとって分かり易い映像を提供することができる。従って、映像提供システム１は、表示モニタ４０に表示させる映像を反転させない非反転処理を実行する（すなわちそのまま出力する）こととなる。同様に、映像提供システム１は、指導員の映像についても非反転処理を実行する。
【００５４】
これにより、上記と同様に、ユーザＨにとって分かり易く、且つ、指導員の映像とユーザＨの映像とが一致するため、ユーザＨは指導員の動きを左右正確に真似易くなる。
【００５５】
次に、本実施形態に係る映像提供システム１の動作を、フローチャートを参照して詳細に説明する。図３は、本実施形態に係る映像提供システム１の動作を示すフローチャートである。
【００５６】
まず、ユーザＨによってコンテンツ映像の選択操作がされると、選択部２０は、サーバ１０に対してコンテンツ映像を選択する（Ｓ１）。その後、サーバ１０は、選択されたコンテンツ映像と対応して撮影方向情報及びズーム状態情報が記憶されているか否かを判断する（Ｓ２）。撮影方向情報及びズーム状態情報が記憶されていると判断した場合（Ｓ２：ＹＥＳ）、処理はステップＳ５に移行する。
【００５７】
撮影方向情報及びズーム状態情報が記憶されていないと判断した場合（Ｓ２：ＮＯ）、サーバ１０は映像制御部５０に書込指示を行う（Ｓ３）。これにより、表示モニタ４０上に、撮影方向情報及びズーム状態情報を書き込む旨の情報が表示されることとなり、ユーザＨは、撮影方向情報及びズーム状態情報を書き込むこととなる。
【００５８】
書き込み処理は、以下のようにして行われる。まず、サーバ１０は、選択されたコンテンツ映像を映像制御部５０に送信し、映像制御部５０は、その映像を表示モニタ４０に表示させる。ユーザＨは、この表示を参照しつつ、撮影方向を示す撮影方向情報、及び、ズーム状態を示すズーム状態情報を、映像毎に記憶させていくこととなる。そして、書込終了後、ユーザＨは、これらの情報をサーバ１０に返信し、サーバ１０はこれらの情報をコンテンツ映像と対応付けて記憶することとなる。なお、映像がＤＶＤ等の記録媒体に記憶されている場合、サーバ１０は、撮影方向情報及びズーム状態情報を記録媒体自体に記憶させてもよい。
【００５９】
次いで、サーバ１０は、書き込み完了か否かを判断する（Ｓ４）。書き込み完了でないと判断した場合（Ｓ４：ＮＯ）、書き込みが完了するまで、この処理が繰り返される。一方、書き込み完了であると判断した場合（Ｓ５）、サーバ１０は、コンテンツ映像（撮影方向情報及びズーム状態情報を含むもの）を映像制御部５０に送信する。そして、カメラ３０は、撮影を開始する（Ｓ６）。
【００６０】
その後、映像選択部５１及び反転処理部５２は、撮影方向情報を読み込む（Ｓ７）。これにより、映像選択部５１は、正面カメラ３１又は背面カメラ３２からの映像のうち、いずれか一方を選択する（Ｓ８）。また、反転処理部５２は、カメラ３０からの映像と、サーバ１０からの映像とについて、反転処理又は非反転処理を実行する。
【００６１】
さらに、ズーム状態判断部５３は、ズーム状態情報を読み込む（Ｓ９）。そして、ズーム状態判断部５３は、ズーム状態を判断し、判断したズーム状態の情報を映像処理部５４に送信する。そして、映像処理部５４は、切替部６０から表示モードの情報を読み込む（Ｓ１０）。その後、映像処理部５４は、反転処理部５２、ズーム状態判断部５３及び切替部６０からの情報に従った映像情報を表示モニタ４０に送信する。この際に、映像処理部５４は、指導員の映像とユーザＨの映像との大きさを一致させる。以上により、表示モニタ４０には、撮影方向情報、ズーム状態情報及び表示モードの情報に従って、ユーザＨ及び指導員の映像が表示される（Ｓ１１）。加えて両者の大きさは一致することとなる。
【００６２】
その後、映像制御部５０は、コンテンツ映像が終了したか否かを判断する（Ｓ１２）。コンテンツ映像が終了していないと判断した場合（Ｓ１２：ＮＯ）、処理はステップＳ７に移行する。一方、コンテンツ映像が終了したと判断した場合（Ｓ１２：ＹＥＳ）、カメラ３０は撮影を終了し、図３に示す処理は終了する。
【００６３】
このようにして、第１実施形態に係る映像提供システム１によれば、映像制御部５４は、指導員の映像を撮影したときの撮影方向にあわせて指導員の映像について反転処理及び非反転処理を切り替える。このため、指導員の映像を撮影したときに指導員を正面から撮影した場合、表示モニタ４０においてそのまま表示すると指導員の右手は表示モニタ４０の左側に位置してしまうが、反転処理に切り替えることで、指導員の右手を表示モニタ４０の右側に位置させることができる。また、指導員の映像を撮影したときに指導員を背面から撮影した場合、指導員の右手は表示モニタ４０の右側に位置するため、反転処理を施すことなく非反転処理、すなわち、そのまま表示することにより、指導員の右手を表示モニタ４０の右側に位置させることができる。このように、撮影方向にあわせて指導員の映像について反転・非反転を切り替えることで、ユーザＨにとって左右が分かり易い指導員の映像を提供することができる。加えて、表示モニタ４０は、指導員の映像とユーザの映像とを共に表示するため、指導員との一致度合いをユーザＨ自らが観察できると共に、ユーザ映像についても反転・非反転を切り替えて、指導員の映像とユーザ映像との左右が逆となってしまう事態も防止することができる。従って、指導員の動きを左右正確に真似易くさせることができる。
【００６４】
また、指導員の映像と、カメラ３０による撮影によって得られた映像とが同じ大きさとなるように調整するため、指導員とユーザＨとが同じ大きさで表示され、ユーザＨが指導員との一致度合いを認識しやすくなる。従って、一層指導員の動きを真似易くさせることができる。
【００６５】
また、指導員の映像のズーム状態にあわせてユーザ映像をズーム状態とし、表示モニタ４０に表示させるため、例えば指導員の手にズームされたような場合に、ユーザＨのみが全身映ってしまう状態などのアンバランスさを解消し、一層ユーザＨに指導員を真似易くさせることができる。
【００６６】
また、映像制御部５４は、指導員が正面から撮影されている場合に、正面カメラ３１により撮影されたユーザＨの映像を表示モニタ４０に表示させ、指導員が背面から撮影されている場合に、背面カメラ３２により撮影されたユーザＨの映像を表示モニタ４０に表示させる。このため、指導員の正面と背面とが切り替わって撮影されていた映像についても、ユーザ映像を指導員の映像に左右一致させ、一層ユーザＨに指導員を真似易くさせることができる。
【００６７】
また、指導員の映像とユーザＨの映像とを並べて共に表示する通常モードと、指導員の映像とユーザＨの映像とを重ねて共に表示するマッチングモードとを切替可能となっているため、ユーザＨにとって指導員を真似易いモードを選択できることとなり、一層ユーザＨに指導員を真似易くさせることができる。
【００６８】
また、コンテンツ映像は、指導員の映像を撮影したときの撮影方向を示す撮影方向情報を有し、映像制御部５４は、撮影方向情報にあわせて表示モニタ４０に表示させる指導員の映像を反転処理及び非反転処理を切り替える。このため、映像制御部５４は、撮影方向を演算等により判断することなく、撮影方向を示す情報に従って、反転及び非反転を切り替えることができる。従って、処理速度の低下を抑制してスムーズに流れる映像を提供することができる。
【００６９】
また、サーバ１０により記憶されたコンテンツ映像に対して、撮影方向情報を書き込み可能な書込部７０をさらに備えるため、予め撮影方向情報を有したＤＶＤ等に限らず、市販のＤＶＤ等についても処理速度の低下を抑制してスムーズに流れる映像を提供することができる。
【００７０】
次に、本発明に係る第２実施形態を説明する。第２実施形態に係る映像提供システム２は、第１実施形態のものと同様であるが、一部構成及び映像処理の方法が異なっている。図４は、第２実施形態に係る映像提供システム２の構成図である。
【００７１】
図４に示すように、第２実施形態に係る映像提供システム２は、表示モニタ４０に代えて、スクリーン（表示手段）８０を有している。さらに、第２実施形態に係る映像提供システム２は、プロジェクタ（投射手段）９０を備えている。
【００７２】
スクリーン８０は、映像光が投射されることにより、表面に映像を映し出すものである。プロジェクタ９０は、スクリーン８０に向けて映像光を出力するものであり、スクリーン８０に映像光を投影させて指導員の映像及びカメラ３０により撮影されたユーザＨの映像を表示させる構成となっている。
【００７３】
なお、映像提供システム２の詳細処理は図３に示したものと同様である。また、反転処理及び非反転処理については、図５に示すようになっている。
【００７４】
図５は、第２実施形態に係る各映像の詳細を示す説明図である。なお、図５の説明において、ユーザＨは右腕を肩の高さまで上げているものとする。
【００７５】
まず、図５に示すように、ユーザＨが右腕を上げている場合、ユーザＨの右腕は正面カメラ３１の撮像範囲の左側に向けて伸びていることとなる。このため、正面カメラ３１によって撮影された映像をプロジェクタ９０によってスクリーン８０に投影すると、スクリーン８０には、ユーザＨの左腕があがったように表示される。これにより、表示映像を視認するユーザＨにとっては左右が分かり難くなってしまう。このため、映像提供システム２は、スクリーン８０に投影させる映像を反転させる反転処理を実行することとなる。具体的に映像提供システム２は、プロジェクタ９０からの投射光を左右反転させる。これにより、本実施形態では、ユーザＨの右腕がスクリーン８０の右側に表示されることとなる。
【００７６】
また、図５に示すように、映像提供システム２は、指導員の映像についても反転処理を実行する。指導員が右腕を上げている場合、このまま表示モニタ４０に指導員の映像を表示してしまうと、ユーザＨには左腕があがったように見えてしまう。このため、映像提供システム１は、指導員の映像についても反転処理を実行することとなる。これにより、本実施形態では、指導員の右腕が表示モニタ４０の右側に表示されることとなる。
【００７７】
以上により、指導員が右腕を上げている場合、指導員の右腕はユーザＨの右側に表示され、ユーザＨは指導員の動きを左右正確に真似易くなる。また、ユーザＨの映像についても、鏡像のように表示されるため、ユーザＨにとって分かり易く、且つ、指導員の映像と一致するため、ユーザＨは指導員の動きを左右正確に真似易くなる。
【００７８】
ここで、上記説明は、指導員の映像が正面から撮影されている場合であるが、背面から撮影されている場合には、以下のようになる。
【００７９】
図５に示すように、ユーザＨが右腕を上げている場合、ユーザの右腕は背面カメラ３２の撮像範囲の右側に向けて伸びたものとなる。このため、このままスクリーン８０にユーザＨの映像を表示すれば、右腕がスクリーン８０の右側に表示され、ユーザＨにとって分かり易い映像を提供することができる。従って、映像提供システム２は、スクリーン８０に表示させる映像を反転させない非反転処理を実行する（すなわちそのまま出力する）こととなる。同様に、映像提供システム２は、指導員の映像についても非反転処理を実行する。
【００８０】
これにより、上記と同様に、ユーザＨにとって分かり易く、且つ、指導員の映像とユーザＨの映像とが一致するため、ユーザＨは指導員の動きを左右正確に真似易くなる。
【００８１】
このようにして、第２実施形態に係る映像提供システム２によれば、第１実施形態と同様に、一層指導員の動きを左右正確に真似易くさせることができる。また、処理速度の低下を抑制してスムーズに流れる映像を提供することができると共に、市販のＤＶＤ等についても処理速度の低下を抑制してスムーズに流れる映像を提供することができる。
【００８２】
さらに、第２実施形態によれば、映像制御部５０は、正面カメラ３１により撮影されたユーザＨの映像を反転させてプロジェクタ９０から投射させ、背面カメラ３２により撮影されたユーザＨの映像を反転させずにプロジェクタ９０から投射させる。このため、ユーザＨは、正面から撮影された映像について鏡像のように分かり易く把握することができ、背面から撮影された映像については左右が逆にならず分かり易くさせることができる。
【００８３】
次に、本発明に係る第３実施形態を説明する。第３実施形態に係る映像提供システム３は、第２実施形態のものと同様であるが、一部構成及び映像処理の方法が異なっている。図６は、第３実施形態に係る映像提供システム３の構成図である。
【００８４】
図６に示すように、第３実施形態に係る映像提供システム３は、スクリーン８０及びプロジェクタ９０を有している点で第２実施形態と同様であるが、第３実施形態においてプロジェクタ９０は、スクリーン８０の背面に設けられている。このため、プロジェクタ９０からの映像光は、スクリーン８０に投射され、投射された映像光の一部がスクリーン８０の反対面に映し出されることにより、映像が表示されることとなる。
【００８５】
また、第３実施形態に係る映像提供システム３は、処理内容が図３に示したものと同様であるが、プロジェクタ９０をスクリーン８０の背面に設置しているため、映像光の投射について一部異なっている。
【００８６】
図７は、第３実施形態に係る各映像等の詳細を示す説明図である。なお、図７の説明において、ユーザＨは右腕を肩の高さまで上げているものとする。
【００８７】
まず、図７に示すように、ユーザＨが右腕を上げている場合、ユーザＨの右腕は正面カメラ３１の撮像範囲の左側に向けて伸びていることとなる。プロジェクタ９０からの映像光についても右腕は左側に位置することとなる。このため、スクリーン８０の表側から見た映像では、ユーザＨの右腕は左側に伸びることとなる。ところが、本実施形態では、プロジェクタ９０はスクリーン８０の背面（すなわち裏側）に設置されており、ユーザＨは、スクリーン８０の正面側（すなわち表側）から映像を視認する。よって、ユーザＨがスクリーン８０の表側から見た映像については、ユーザＨの右腕は右側に伸びることとなる。
【００８８】
このため、プロジェクタ９０からそのまま映像光を投射すれば、右腕がスクリーン８０の右側に表示され、ユーザＨにとって分かり易い映像を提供することができる。従って、映像提供システム３は、プロジェクタ９０から投射させる映像光を反転させない非反転処理を実行する（すなわちそのまま出力する）こととなる。
【００８９】
また、指導員の映像についても同様に非反転処理する。すなわち、指導員が右腕を上げている場合、指導員の右腕は、プロジェクタ９０からの映像光の左側に位置することとなり、スクリーン８０に投影されたときには、指導員の右腕はスクリーン８０の右側に位置することとなる。よって、本実施形態において映像提供システム３は、プロジェクタ９０から投射させる映像光を反転させない非反転処理を実行することとなる。
【００９０】
以上により、指導員の映像は、指導員が右腕を上げている状態のときに、ユーザＨの右側に表示され、ユーザＨは指導員の動きを左右正確に真似易くなる。また、ユーザＨの映像についても、鏡像のように表示されるため、ユーザＨにとって分かり易く、且つ、指導員の映像と一致するため、ユーザＨは指導員の動きを左右正確に真似易くなる。
【００９１】
一方、ユーザＨが背面から撮影されている場合には、以下のようになる。まず、図７に示すように、ユーザＨが右腕を上げている場合、ユーザＨの右腕は背面カメラ３１の撮像範囲の右側に向けて伸びていることとなる。このため、スクリーン８０の表側から見た映像では、ユーザＨの右腕は右側に伸びることとなる。ところが、本実施形態では、プロジェクタ９０はスクリーン８０の裏側に設置されており、ユーザＨは、スクリーン８０の表側から映像を視認する。よって、ユーザＨがスクリーン８０の表側から見た映像については、ユーザＨの右腕は左側に伸びることとなる。
【００９２】
このため、背面カメラ３２によって撮影された映像をプロジェクタ９０によってスクリーン８０に投影すると、スクリーン８０には、ユーザＨの左腕があがったように表示される。これにより、表示映像を視認するユーザＨにとっては左右が分かり難くなってしまう。このため、映像提供システム３は、スクリーン８０に投影させる映像を反転させる反転処理を実行することとなる。具体的に映像提供システム３は、プロジェクタ９０からの投射光を左右反転させる。これにより、本実施形態では、ユーザＨの右腕がスクリーン８０の右側に表示されることとなる。
【００９３】
また、指導員の映像についても同様に反転処理する。すなわち、指導員が右腕を上げている場合、映像光を反転状態で投射することにより、指導員の右腕は映像光の左側に位置することとなり、スクリーン８０に投影されたときには、ユーザＨの右腕はスクリーン８０の右側に位置することとなる。
【００９４】
これにより、ユーザＨの右側に表示され、ユーザＨは指導員の動きを左右正確に真似易くなる。
【００９５】
このようにして、第３実施形態に係る映像提供システム３によれば、第２実施形態と同様に、一層指導員の動きを左右正確に真似易くさせることができる。また、処理速度の低下を抑制してスムーズに流れる映像を提供することができると共に、市販のＤＶＤ等についても処理速度の低下を抑制してスムーズに流れる映像を提供することができる。
【００９６】
さらに、第３実施形態では、映像制御部５０は、正面カメラ３１により撮影されたユーザＨの映像を反転させずにプロジェクタ９０から投射させ、背面カメラ３２により撮影されたユーザＨの映像を反転させてプロジェクタ９０から投射させる。このため、ユーザＨは、正面から撮影された映像について鏡像のように分かり易く把握することができ、背面から撮影された映像については左右が逆にならず分かり易くさせることができる。
【００９７】
以上、本発明に係る映像提供システムを実施形態に基づいて説明したが、本発明はこれに限定されるものではなく、本発明の趣旨を逸脱しない範囲で、変更を加えてもよい。
【００９８】
例えば、本実施形態において映像はサーバ１０に記憶されているが、これに限らず、ＤＶＤやビデオに記憶されているものであってもよい。
【００９９】
また、映像は、ダンスや着付けの指導員が映るものに限らず、単に、一般のプロモーションビデオ等であってもよい。
【０１００】
また、コンテンツ映像は、テレビ映像など記録媒体等に記録されたものに限るものではない。
【０１０１】
さらに、上記実施形態では表示モニタ４０及びスクリーン８０を表示手段として例示したが、表示手段はこれに限られるものではなく、他のものであってもよいし、これらを組み合わせてもよい。すなわち、表示手段はそれぞれ異なる表示形態により映像表示する複数の表示部（表示モニタ４０やスクリーン８０）を有し、映像表示の対象を複数の表示部のいずれとするかを設定する設定手段をさらに備えていてもよい。この場合、映像制御部５０は、設定手段により設定された表示部４０，８０に対して、指導員の映像の反転処理及び非反転処理、並びに、前記撮影手段による撮影によって得られた映像の反転処理及び非反転処理の制御を行うこととなる。これにより、ユーザＨにとって使い易い表示部４０，８０によって表示は行われることとなる。すなわち、ユーザＨは、例えば手先など細かい映像に関して表示モニタ（一般的にスクリーンよりも小さい）４０にて表示させ、着付けやダンスなど体全体の映像に関してスクリーン（一般的に表示モニタよりも大きい）８０への投影にて表示させることができる。これにより、ユーザＨは、指導員を一層見やすくなり、一層ユーザに指導員を真似易くさせることができる。
【０１０２】
また、スクリーン８０は、壁面であっても天井であってもよい。
【０１０３】
また、上記実施形態において反転処理及び非反転処理は、反転処理部５２によって行われているが、これに限らず、第１実施形態では表示モニタ４０の内部において反転・非反転されてもよいし、第２及び第３実施形態ではプロジェクタ９０の内部において反転・非反転されてもよい。
【図面の簡単な説明】
【０１０４】
【図１】本発明の第１実施形態に係る映像提供システムの一例を示す構成図である。
【図２】各映像の詳細を示す説明図である。
【図３】本実施形態に係る映像提供システムの動作を示すフローチャートである。
【図４】第２実施形態に係る映像提供システムの構成図である。
【図５】第３実施形態に係る各映像等の詳細を示す説明図である。
【図６】第３実施形態に係る映像提供システムの構成図である。
【図７】第３実施形態に係る各映像等の詳細を示す説明図である。
【符号の説明】
【０１０５】
１〜３  映像提供システム
１０  サーバ（記憶手段）
２０  選択部
３０  カメラ（撮影手段）
３１  正面カメラ（正面撮影手段）
３２  背面カメラ（背面撮影手段）
４０  表示モニタ（表示手段）
５０  映像制御部（映像制御手段）
５１  映像選択部
５２  反転処理部
５３  ズーム状態判断部
５４  映像処理部（調整表示手段）
６０  切替部（切替手段）
７０  書込部（書込手段）
８０  スクリーン（表示手段）
９０  プロジェクタ（投射手段）
【図１】
0004998253.tif 000002
【図２】
0004998253.tif 000003
【図３】
0004998253.tif 000004
【図４】
0004998253.tif 000005
【図５】
0004998253.tif 000006
【図６】
0004998253.tif 000007
【図７】
0004998253.tif 000008